(57)【要約】　　　（修正有）【課題】係止具による直接嵌止方式を利用し、迅速に側板をケースの両側に固定できるようにし、これにより人力、作業時間を節約し、修理時の分解再組立に便利で、製品の競争力を高められるコンピュータケース側板の係止装置の提供。【解決手段】係止具を利用し、直接嵌止する方式でコンピュータケース側板を迅速にケースに組み付けることができるコンピュータケース側板の係止装置であり、該係止具が内縁の係止ブロックを以て側板の溝内に挿入、回転させられて位置決めされ、さらに係止具の位置決め柱が側板の穿孔及びケースの固定孔に通されて側板とケースを結合させ一体となす。【選択図】　　　図３
0003099035.tif 000002
【実用新案登録請求の範囲】
【請求項１】
　コンピュータケース側板の係止装置において、該係止装置は、コンピュータのケースの二つの側板を係止具を利用しケース両側に直接係止できる構造を有し、該ケースの側縁に固定孔が設けられ、該固定孔の孔縁近くに係止孔が設けられ、側板の側縁に穿孔が設けられ、該穿孔より前方に係止用の二つの係止溝が設けられ、係止溝の半分に係止ブロック孔が設けられ、係止ブロック孔の孔径が係止溝より大きく設けられ、係止具の係止ブロックの嵌入に供され、係止具が該係止溝に沿って回転可能とされ、係止具の内縁の別側に位置決め柱が設けられて該位置決め柱が側板の穿孔とケースの固定孔を貫通し、側板がケースに固定されることを特徴とする、コンピュータケース側板の係止装置。
【請求項２】
　請求項１記載のコンピュータケース側板の係止装置において、係止具の辺縁の位置決め柱近くにフックが設けられ、該フックの内縁の係止部が側板の折り曲げ辺のフック孔内に係止されることを特徴とする、コンピュータケース側板の係止装置。
【請求項３】
　請求項１記載のコンピュータケース側板の係止装置において、係止具の正面に横向きに凹溝が形成されて係止具が該凹溝を支点として折り曲げ可能とされたことを特徴とする、コンピュータケース側板の係止装置。
【請求項４】
　請求項１記載のコンピュータケース側板の係止装置において、係止具の係止ブロック内縁がＬ形を呈して係止溝に係合し係止溝に沿って回転可能とされたことを特徴とする、コンピュータケース側板の係止装置。
【考案の詳細な説明】
【技術分野】
【０００１】
　本考案は一種のコンピュータケース側板の係止装置に係り、特に、コンピュータケース側板をネジを使用せずに固定でき、係止具を利用するだけで非常に迅速にコンピュータケースの両側に組み付けることができるコンピュータケース側板の係止装置に関する。
【背景技術】
【０００２】
　図１に示されるように、一般にコンピュータ１０のケース１００周辺にはパネル２００、上板３００及び二つの側板４００等の板体が固定され、コンピュータ１０全体の被覆している。そのうち、二つの側板４００の固定の方式は、ネジＡを側板４００の穿孔４０１に通し、さらにケース１００のネジ孔１０１内にねじ込む、というものである。このようなネジ止め方式には以下のような欠点がある。
　１．人力がかかる。
　２．時間を浪費する。
　３．ネジ回し等の工具が必要である。
　４．大量生産時に迅速に組立が行なえない。
　５．修理分解時に時間と手間がかかる。
【考案の開示】
【考案が解決しようとする課題】
【０００３】
　上述の従来のネジ止めによるコンピュータケース側板の固定の欠点を鑑み、本考案は従来の製品の欠点を排除でき、機能を高めたコンピュータケース側板の係止装置を提供するものである。
【０００４】
　ゆえに、本考案の主要な目的は、一種のコンピュータケース側板の係止装置を提供することにあり、それは、係止具による直接嵌止方式を利用し、迅速に側板をケースの両側に固定できるようにし、これにより人力、作業時間を節約し、修理時の分解再組立に便利で、製品の競争力を高められるものとする。
【課題を解決するための手段】
【０００５】
　請求項１の考案は、コンピュータケース側板の係止装置において、該係止装置は、コンピュータのケースの二つの側板を係止具を利用しケース両側に直接係止できる構造を有し、該ケースの側縁に固定孔が設けられ、該固定孔の孔縁近くに係止孔が設けられ、側板の側縁に穿孔が設けられ、該穿孔より前方に係止用の二つの係止溝が設けられ、係止溝の半分に係止ブロック孔が設けられ、係止ブロック孔の孔径が係止溝より大きく設けられ、係止具の係止ブロックの嵌入に供され、係止具が該係止溝に沿って回転可能とされ、係止具の内縁の別側に位置決め柱が設けられて該位置決め柱が側板の穿孔とケースの固定孔を貫通し、側板がケースに固定されることを特徴とする、コンピュータケース側板の係止装置としている。
　請求項２の考案は、請求項１記載のコンピュータケース側板の係止装置において、係止具の辺縁の位置決め柱近くにフックが設けられ、該フックの内縁の係止部が側板の折り曲げ辺のフック孔内に係止されることを特徴とする、コンピュータケース側板の係止装置としている。
　請求項３の考案は、請求項１記載のコンピュータケース側板の係止装置において、係止具の正面に横向きに凹溝が形成されて係止具が該凹溝を支点として折り曲げ可能とされたことを特徴とする、コンピュータケース側板の係止装置としている。
　請求項４の考案は、請求項１記載のコンピュータケース側板の係止装置において、係止具の係止ブロック内縁がＬ形を呈して係止溝に係合し係止溝に沿って回転可能とされたことを特徴とする、コンピュータケース側板の係止装置としている。
【考案の効果】
【０００６】
　本考案のコンピュータケース側板の係止装置は、ネジ等の部品及び工具を使用せずに、係止具を利用して迅速に側板をコンピュータケースに固定でき、これにより製品の競争力を高めることができ、実用性を有している。
【考案を実施するための最良の形態】
【０００７】
　図２、３に示されるように、本考案はパネル１２、上板１３及び二つの側板１４を具えたコンピュータ１のケース１１に運用されるコンピュータケース側板の係止装置である。
【０００８】
　本考案によると、二つの側板１４は、上下の二つの係止具２により直接ケース１１に固定される。該ケース１１の後方の側縁には円形の固定孔１１１が設けられている。側板１４の後方の側縁には円形の穿孔１４１が設けられ、該穿孔１４１より前方に、対称な円弧形の係止孔１４２が設けられて円弧形の軌道を形成し、各係止孔１４２の半分に係止ブロック孔１４２１が形成され、該係止ブロック孔１４２１の孔径が該係止孔１４２より大きく形成されて、係止具２の係止ブロック２１の嵌入に供される。係止具２の相互に対称な二つの係止ブロック２１の形態と二つの係止ブロック孔１４２１は同じとされ、その内縁はＬ形を呈し（図４参照）、係止ブロック２１が係止ブロック孔１４２１に挿入された後、係止具２が円弧形の係止孔１４２の円弧軌道に沿って９０度回されて（図５から図６）位置を改変可能とされている。
【０００９】
　係止具２の内縁に円形の位置決め柱２２が設けられ、この位置決め柱２２が側板１４の穿孔１４１及びケース１１の固定孔１１１に通された後（図４）、側板１４がケース１１側縁に係止される。係止具２の位置決め柱２２の辺縁に直立するフック２３が形成され、該フック２３の内縁に二つのＬ形の係止部２３１が形成され（図４）、該係止部２３１が側板１４の折り曲げ辺の二つのフック孔１４３内に係合する（図６）。別に係止具２の正面に横向きに凹溝２５が設けられ、該凹溝２５が係止具２の折り曲げの支点とされ、係止具２の別端が折り曲げ可能とされる（図４の点線で表示）。
【００１０】
　二つの側板１４が位置決めされた後、係止具２の係止ブロック２１が側板１４の係止ブロック孔１４２１に挿入され（図５）、係止具２が回されて係止ブロック２１が側板１４の係止孔１４２に沿って９０度回転することにより（図６）、係止具２の位置決め柱２２が側板１４の穿孔１４１とケース１１の固定孔１１１を貫通し、側板１４とケース１１を結合させ一体となし、さらに係止具２のフック２３が側板１４のフック孔１４３内に係合させられ、こうして迅速に、簡単に側板１４が固定される。
【図面の簡単な説明】
【００１１】
【図１】周知の製品の斜視図である。
【図２】本考案の斜視図である。
【図３】本考案の部分分解図である。
【図４】本考案の部分断面図である。
【図５】本考案の部分平面図である。
【図６】本考案の部分平面動作図である。
【符号の説明】
【００１２】
１　コンピュータ　　　　　１１　ケース　　　１１１　固定孔
１２　パネル　　　　　　　１３　上板　　　　１４　側板
１４１　穿孔　　　　　　　１４２　係止孔　　１４２１　係止ブロック孔
２　係止具　　　　　　　　２１　係止ブロック　２２　位置決め柱
２３　フック　　　　　　　２３１　係止部　　　１４３　フック孔
２５　凹溝　　　　　　　　１０　コンピュータ　１００　ケース
１０１　ネジ孔　　　　　　２００　パネル　　　３００　上板
４００　側板　　　　　　　４０１　穿孔　　　　Ａ　ネジ
【図１】
0003099035.tif 000003
【図２】
0003099035.tif 000004
【図３】
0003099035.tif 000005
【図４】
0003099035.tif 000006
【図５】
0003099035.tif 000007
【図６】
0003099035.tif 000008